Podtech/llm-jp-corpus-v4-ja_patent huggingface dataset:
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
３８０〜４４０ｎｍの波長範囲内に発光ピークを有し、白色出力光を生成する発光装置であって、
４４０〜４６０ｎｍの第１波長範囲内に発光ピークを有し、第１光度Ｉ１の光を放出する少なくとも１つの第１発光エレメントと、
３８０〜４４０ｎｍの第２波長範囲内に発光ピークを有し、第２光度Ｉ２の光を放出する少なくとも１つの第２発光エレメントと、
を有し、
前記少なくとも１つの第１発光エレメント及び前記少なくとも１つの第２発光エレメントは、前記少なくとも１つの第２発光エレメントにより放出される前記第２光度の光を前記少なくとも１つの第１発光エレメントにより放出される前記第１光度の光から独立に制御することができるように独立に制御可能であり、
比Ａ'が、
【数６】
2017523600.tif 000001
と定義され、ここでＡ'は少なくとも０.６であり、
当該発光装置は、
前記少なくとも１つの第１発光エレメント及び前記少なくとも１つの第２発光エレメントに動作的に結合されコントローラであって、前記少なくとも１つの第１発光エレメントにより放出される光の前記第１光度Ｉ１を増加又は減少させるための第１制御信号及び前記少なくとも１つの第２発光エレメントにより放出される光の前記第２光度Ｉ２を前記第１制御信号とは独立に増加又は減少させるための第２制御信号を、前記比Ａ'が当該コントローラにより変更可能となるように発生することができるコントローラ、
を更に有し、
前記コントローラは、当該発光装置が調光される間に前記第２光度Ｉ２を前記第１光度Ｉ１に対して減少させる、
発光装置。
【請求項２】
前記第１発光エレメントにより放出される光を受光するように配置されると共に、緑色〜赤色の波長範囲内に発光ピークを持つ光を放出することができる少なくとも１つの波長変換部材を更に有する、請求項１に記載の発光装置。
【請求項３】
前記第１及び／又は第２発光エレメントの動作を、従って前記比Ａ'をユーザにより制御することができる、請求項１乃至２のいずれか一項に記載の発光装置。
【請求項４】
前記少なくとも１つの波長変換部材が、前記第１発光エレメントにより放出される光を受光するように配置されると共に、黄緑色蛍光体材料及び赤色蛍光体材料を有する、請求項２に記載の発光装置。
【請求項５】
前記第２発光エレメントにより放出される光を受光するように配置される他の波長変換部材を有し、該他の波長変換部材が黄緑色蛍光体材料は有するが、赤色蛍光体材料を有さない、請求項２に記載の発光装置。
【請求項６】
前記少なくとも１つの第２発光エレメントが、３８０〜４３０ｎｍの第２波長範囲内に発光ピークを有し第２光度Ｉ２の光を放出する、請求項１乃至５のいずれか一項に記載の発光装置。
【請求項７】
前記コントローラが、時間に伴い前記比Ａ'を調整する、請求項１乃至６のいずれか一項に記載の発光装置。
【請求項８】
前記白色出力光の色点が、４０００Ｋ以下の相関色温度のために黒体軌跡より下に位置するよう調整される、請求項１乃至７のいずれか一項に記載の発光装置。
【請求項９】
５９０〜６２０ｎｍの第３波長範囲内に発光ピークを有し、光度Ｉ３の光を放出する少なくとも１つの第３発光エレメントを有する、請求項１乃至８のいずれか一項に記載の発光装置。
【請求項１０】
前記第１発光ピーク及び前記第２発光ピークのピーク波長が、少なくとも１０ｎｍだけ相違する、請求項１乃至９のいずれか一項に記載の発光装置。
【請求項１１】
請求項１乃至１０のいずれか一項に記載の発光装置を有する、スポットライト又は照明器具。
【請求項１２】
蛍光増白剤を照明するための、請求項１乃至１０のいずれか一項に記載の発光装置の使用。
【請求項１３】
請求項１乃至１０のいずれか一項に記載の発光装置を動作させる方法であって、前記光度Ｉ２を前記光度Ｉ１及び／又は前記発光装置により生成される前記出力光の全光度Ｉtotに対して増加又は減少させ、前記比Ａ'を増加又は減少させるステップを有する、方法。
【請求項１４】
前記第１光度を前記第２光度に対して増加させることにより前記比Ａ'を増加させるステップを有する、請求項１３に記載の発光装置を動作させる方法。
【請求項１５】
前記発光装置により放出される前記全光度を減少させると共に、前記光度Ｉ２を前記光度Ｉ１及び／又は前記全光度Ｉtotに対して減少させ、前記比Ａ'を減少させるステップ、又は
前記発光装置により放出される前記全光度を増加させると共に、前記光度Ｉ２を前記光度Ｉ１及び／又は前記全光度Ｉtotに対して増加させ、前記比Ａ'を増加させるステップ、
を有する、請求項１３乃至１４のいずれか一項に記載の発光装置を動作させる方法。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
（ａ）ＴＬＲ５アゴニスト活性を有するフラジェリンベースの薬剤およびアルミニウムゲルまたはアルミニウム塩を含むアジュバントと、
（ｂ）抗原と
を含む、ワクチン組成物。
【請求項２】
前記フラジェリンベースの薬剤が、配列番号２と少なくとも９５％の同一性を有するアミノ酸配列を含む、請求項１に記載の組成物。
【請求項３】
前記アルミニウムゲルまたはアルミニウム塩が、水酸化アルミニウム、リン酸アルミニウム、および硫酸アルミニウムから選択される、請求項１に記載の組成物。
【請求項４】
前記抗原が、以下のワクチン：ＤＴＰ（ジフテリア−破傷風−百日咳ワクチン）、ＤＴａＰ（ジフテリア−破傷風−無細胞百日咳ワクチン）、Ｈｉｂ（インフルエンザ菌（Ｈａｅｍｏｐｈｉｌｕｓ  ｉｎｆｌｕｅｎｚａｅ）ｂ型）コンジュゲートワクチン、肺炎球菌コンジュゲートワクチン、Ａ型肝炎ワクチン、灰白髄炎ワクチン、黄熱病ワクチン、Ｂ型肝炎ワクチン、ＤＴａＰ、Ｔｄａｐ、Ｈｉｂ、ヒトパピローマウイルス（ＨＰＶ）混合ワクチン、炭疽ワクチンおよび狂犬病ワクチンのうちの１つまたは複数のものの抗原である、請求項１に記載の組成物。
【請求項５】
前記ワクチンは、水中油型乳剤、サポニンアジュバント、オボアルブミン、フロイントアジュバント、サイトカインおよびキトサンから選択される追加のアジュバントをさらに含む、請求項１に記載の組成物。
【請求項６】
前記フラジェリンベースの薬剤および前記抗原のうちの１つまたは複数のものをアルミニウムゲルまたはアルミニウム塩に吸着させる、請求項１に記載の組成物。
【請求項７】
前記フラジェリンベースの薬剤と前記アルミニウムゲルまたはアルミニウム塩とを混合して安定な複合体を形成させる、請求項１に記載の組成物。
【請求項８】
前記フラジェリンベースの薬剤と前記アルミニウムゲルまたはアルミニウム塩とを約１：５００以下の比（ｗ／ｗ）で混合する、請求項１に記載の組成物。
【請求項９】
前記フラジェリンベースの薬剤と前記アルミニウムゲルまたはアルミニウム塩とを約１：５００、約１：６００、約１：７００、約１：８００、約１：９００、約１：１０００、約１：２０００、約１：５０００または約１：１００００の比（ｗ／ｗ）で混合する、請求項１に記載の組成物。
【請求項１０】
前記フラジェリンベースの薬剤と前記アルミニウムゲルまたはアルミニウム塩とを、前記アルミニウム塩の搭載能をはるかに下回る比で混合する、請求項１に記載の組成物。
【請求項１１】
前記ワクチンおよび／または前記アジュバントが、ＴＨ１媒介性免疫応答およびＴＨ２媒介性免疫応答のうちの１つまたは複数のものの免疫刺激を引き起こす、請求項１に記載の組成物。
【請求項１２】
前記ワクチンおよび／または前記アジュバントが、前記抗原と前記アルミニウムゲルまたはアルミニウム塩とを単独で含むワクチンよりも高いレベルでＴＨ１媒介性免疫応答の免疫刺激を引き起こす、請求項１に記載の組成物。
【請求項１３】
対象に障害に対するワクチンを接種することにおいて使用するための医薬組成物であって、
（ａ）フラジェリンベースの薬剤またはＴＬＲ５アゴニスト活性を有するその変異体およびアルミニウムゲルまたはアルミニウム塩を含むアジュバントと、
（ｂ）前記障害の原因となる抗原と
を含む、医薬組成物。
【請求項１４】
前記障害が、感染症、癌およびアレルギーから選択される、請求項１３に記載の医薬組成物。
【請求項１５】
前記障害が、ジフテリア、破傷風、百日咳、インフルエンザ、肺炎、Ａ型肝炎、Ｂ型肝炎、ポリオ、黄熱病、ヒトパピローマウイルス（ＨＰＶ）感染症、炭疽、狂犬病、日本脳炎、髄膜炎、麻疹、流行性耳下腺炎、風疹、胃腸炎、痘瘡、腸チフス、水痘（水疱瘡）、ロタウイルスおよび帯状疱疹から選択される、請求項１３に記載の医薬組成物。
【請求項１６】
前記フラジェリンベースの薬剤が、配列番号２と少なくとも９５％の同一性を有するアミノ酸配列を含む、請求項１３に記載の医薬組成物。
【請求項１７】
前記フラジェリンベースの薬剤が配列番号２のアミノ配列を含む、請求項１３に記載の医薬組成物。
【請求項１８】
前記フラジェリンベースの薬剤が、抗フラジェリン抗体を中和してアジュバントを中和する能力を阻害するか打ち消す、請求項１３に記載の医薬組成物。
【請求項１９】
前記アルミニウムゲルまたはアルミニウム塩が、水酸化アルミニウム、リン酸アルミニウム、および硫酸アルミニウムから選択される、請求項１３に記載の医薬組成物。
【請求項２０】
前記フラジェリンベースの薬剤と前記アルミニウムゲルまたはアルミニウム塩とを約１：５００以下の比（ｗ／ｗ）で混合する、請求項１３に記載の医薬組成物。
【請求項２１】
前記フラジェリンベースの薬剤と前記アルミニウムゲルまたはアルミニウム塩とを約１：５００、約１：６００、約１：７００、約１：８００、約１：９００、約１：１０００、約１：２０００、約１：５０００または約１：１００００の比（ｗ／ｗ）で混合する、請求項１３に記載の医薬組成物。
【請求項２２】
前記ワクチンおよび／または前記アジュバントが、ＴＨ１媒介性免疫応答およびＴＨ２媒介性免疫応答のうちの１つまたは複数のものの免疫刺激を引き起こす、請求項１３に記載の医薬組成物。
【請求項２３】
前記ワクチンおよび／または前記アジュバントが、前記抗原と前記アルミニウムゲルまたはアルミニウム塩とを単独で含むワクチンよりも高いレベルでＴＨ１媒介性免疫応答の免疫刺激を引き起こす、請求項１３に記載の医薬組成物。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
第１及び第２のフレームエレメント（３１,３２）を備えた、材料ウエブ（２）、特にフィルムウエブをガイドするためのウエブガイド装置（３）であって、
上記第１及び第２のフレームエレメントは、
各々の第１の端部領域（３１１，３２１）において第１のスピンドル（３３）に回動可能に取り付けられており、
回転可能に取り付けられたウエブガイドローラ（３４）を介して、各々の第２の端部領域（３２１，３２２）において互いに連結されており、
固定エレメント（３７）を介して上記第１のスピンドル（３３）に連結された第２のスピンドル（３５）を介して互いに連結されている、ウエブガイド装置（３）。
【請求項２】
上記ウエブガイドローラ（３４）及び／又は上記第２のスピンドル（３５）は、回転ベアリング（３６）により上記フレームエレメント（３１，３２）に取り付けられていることを特徴とする請求項１に記載のウエブガイド装置（３）。
【請求項３】
上記回転ベアリング（３６）は、回転ボールベアリングとして形成されていることを特徴とする請求項２に記載のウエブガイド装置（３）。
【請求項４】
上記第２のスピンドル（３５）は、上記第１のスピンドル（３３）と上記ウエブガイドローラ（３４）との間に配置されていることを特徴とする請求項１〜３のいずれかに記載のウエブガイド装置（３）。
【請求項５】
上記第２のスピンドル（３５）から上記第１のスピンドル（３３）までの距離と、上記第２のスピンドル（３５）から上記ウエブガイドローラ（３４）までの距離との比は、１：３〜１：１０であり、好ましくは１：４〜１：７であり、より好ましくは１：５〜１：６であることを特徴とする請求項４に記載のウエブガイド装置（３）。
【請求項６】
上記固定エレメント（３７）は、上記第１のスピンドル（３３）上を軸方向に移行可能に配置されていることを特徴とする請求項１〜５のいずれかに記載のウエブガイド装置（３）。
【請求項７】
上記固定エレメント（３７）は、固定要素（３７４）により上記第１のスピンドル（３３）に固定されており、
上記ウエブガイド装置（３）の運転位置において、上記固定エレメント（３７）は、好ましくは、上記第１のフレームエレメント（３１）と上記第２のフレームエレメント（３２）との間において上記第１のスピンドル（３３）の中央に固定されていることを特徴とする請求項６に記載のウエブガイド装置（３）。
【請求項８】
上記固定エレメント（３７）は、上記第２のスピンドル（３５）上において浮動した状態で取り付けられていることを特徴とする請求項１〜７のいずれかに記載のウエブガイド装置（３）。
【請求項９】
上記固定エレメント（３７）は、ベアリングブッシュ（３８）を介して上記第２のスピンドル（３５）に取り付けられていることを特徴とする請求項８に記載のウエブガイド装置（３）。
【請求項１０】
上記ベアリングブッシュ（３８）の内径は、上記第２のスピンドル（３５）の外径よりも、５％〜２０％、好ましくは１０％〜１２％大きいことを特徴とする請求項９に記載のウエブガイド装置（３）。
【請求項１１】
さらなる固定要素（３７３）により、上記固定エレメント（３７）と上記第２のスピンドル（３５）との間に摺動抵抗が設定されることを特徴とする請求項８〜１０のいずれかに記載のウエブガイド装置（３）。
【請求項１２】
請求項１〜１１のいずれかに記載のウエブガイド装置（３）と共に材料ウエブ（２）、特にフィルムウエブを処理する装置（１）。
【請求項１３】
上記ウエブガイド装置（３）の上記第１のスピンドル（３３）は上記装置（１）のフレームに堅固に固定されていることを特徴とする請求項１２に記載の装置（１）。
【請求項１４】
アイドル状態、及び／又は上記ウエブガイドローラ（３４）に対して対称的に力を付与する状態において、上記ウエブガイド装置（３）の上記ウエブガイドローラ（３４）が上記材料ウエブ（２）の進行方向に対して直交して配置され、かつ上記材料ウエブ（２）の進行平面上に位置するように、上記ウエブガイド装置（３）が配置されていることを特徴とする請求項１２又は１３に記載の装置（１）。
【請求項１５】
上記装置（１）は、エンボス装置、特にホットエンボス装置、及び／又はプリント装置として形成されていることを特徴とする請求項１２〜１４のいずれかに記載の装置（１）。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
ＥＰ３００、ＭＬＬ２、ＢＣＬ−２、ＲＢ１、ＬＲＰ１Ｂ、ＰＩＭ１、ＴＳＣ２、ＴＮＦＲＳＦ１１Ａ、ＳＭＡＤ４、ＰＡＸ５、及びＣＡＲＤ１１から選ばれる１つ以上のバイオマーカー遺伝子に修飾を有しない個人における、びまん性大細胞型Ｂ細胞リンパ腫（ＤＬＢＣＬ）の治療のための薬剤の製造におけるイブルチニブの使用。
【請求項２】
前記個人が、ＥＰ３００、ＭＬＬ２、ＢＣＬ−２、ＲＢ１、ＬＲＰ１Ｂ、ＰＩＭ１、ＴＳＣ２、ＴＮＦＲＳＦ１１Ａ、ＳＭＡＤ４、ＰＡＸ５、及びＣＡＲＤ１１から選ばれる２つ以上のバイオマーカー遺伝子に修飾を有しない、請求項１に記載の使用。
【請求項３】
前記１つ以上のバイオマーカー遺伝子が、ＢＣＬ−２、ＲＢ１、ＬＲＰ１Ｂ、ＰＩＭ１、及びＴＳＣ２から選ばれる、請求項１または請求項２に記載の使用。
【請求項４】
前記ＥＰ３００、ＭＬＬ２、ＢＣＬ−２、ＲＢ１、ＬＲＰ１Ｂ、ＰＩＭ１、ＴＳＣ２、ＴＮＦＲＳＦ１１Ａ、ＳＭＡＤ４、ＰＡＸ５、及びＣＡＲＤ１１遺伝子に関連する前記修飾が、前記ＥＰ３００、ＭＬＬ２、ＢＣＬ−２、ＲＢ１、ＬＲＰ１Ｂ、ＰＩＭ１、ＴＳＣ２、ＴＮＦＲＳＦ１１Ａ、ＳＭＡＤ４、ＰＡＸ５、及びＣＡＲＤ１１タンパク質に修飾をもたらす、請求項１〜３のいずれか１項に記載の使用。
【請求項５】
前記ＢＣＬ−２タンパク質が、アミノ酸残基４、９、３３、４７、４８、４９、６０、６８、７４、１１３、１１４、１２０、１２２、１２９、１３１、１６５、１９７、１９８、２００、２０１、２０３、及び２０６に対応する位置で、１つ以上の修飾を含む、請求項４に記載の使用。
【請求項６】
前記修飾が、Ａ４Ｓ、Ｙ９Ｈ、Ｇ３３Ｒ、Ｇ４７Ａ、Ｉ４８Ｓ、Ｆ４９Ｌ、Ａ６０Ｔ、Ｒ６８Ｋ、Ｔ７４Ｎ、Ｔ７４Ｓ、Ａ１１３Ｇ、Ｅ１１４Ａ、Ｈ１２０Ｙ、Ｔ１２２Ｓ、Ｒ１２９Ｈ、Ａ１３１Ｖ、Ｅ１６５Ｄ、Ｇ１９７Ｒ、Ｇ１９７Ｓ、Ａ１９８Ｖ、Ｇ２００Ｓ、Ｄ２０１Ｎ、Ｓ２０３Ｎ、及び２０６Ｗを含む、請求項５に記載の使用。
【請求項７】
ＤＬＢＣＬが、活性化Ｂ細胞ＤＬＢＣＬ（ＡＢＣ−ＤＬＢＣＬ）、胚中心Ｂ細胞様ＤＬＢＣＬ（ＧＢＣ−ＤＬＢＣＬ）、または未分類ＤＬＢＣＬである、請求項１〜６のいずれか１項に記載の使用。
【請求項８】
前記ＤＬＢＣＬが、再発性または難治性ＤＬＢＣＬである、請求項１〜７のいずれか１項に記載の使用。
【請求項９】
ＣＤ７９Ｂにおける芳香族残基への修飾、及びＭＹＤ８８におけるアミノ酸位置１９８または２６５での少なくとも１つの修飾を有する個人における、びまん性大細胞型Ｂ細胞リンパ腫（ＤＬＢＣＬ）の治療のための薬剤の製造におけるイブルチニブの使用。
【請求項１０】
ＣＤ７９Ｂにおけるアミノ酸位置１９６での前記修飾が、Ｙ１９６Ｆである、請求項９に記載の使用。
【請求項１１】
ＭＹＤ８８におけるアミノ酸位置１９８での前記修飾が、Ｓ１９８Ｎである、請求項９に記載の使用。
【請求項１２】
ＭＹＤ８８におけるアミノ酸位置２６５での前記修飾が、Ｌ２６５Ｐである、請求項９に記載の使用。
【請求項１３】
前記個人が、ＣＤ７９Ｂ及びＭＹＤ８８において、Ｙ１９６ＦとＳ１９８Ｎ、またはＹ１９６ＦとＬ２６５Ｐの前記修飾の組み合わせを有する、請求項９に記載の使用。
【請求項１４】
前記ＤＬＢＣＬが、活性化Ｂ細胞ＤＬＢＣＬ（ＡＢＣ−ＤＬＢＣＬ）、または未分類ＤＬＢＣＬである、請求項９〜１３のいずれか１項に記載の使用。
【請求項１５】
前記ＤＬＢＣＬが、再発性または難治性ＤＬＢＣＬである、請求項９〜１４のいずれか１項に記載の使用。
【請求項１６】
ＲＯＳ１におけるアミノ酸位置１５での修飾が無い個人における、びまん性大細胞型Ｂ細胞リンパ腫（ＤＬＢＣＬ）の治療のための薬剤の製造におけるイブルチニブの使用。
【請求項１７】
ＲＯＳ１におけるアミノ酸位置１５での前記修飾が、Ａ１５Ｇである、請求項１６に記載の使用。
【請求項１８】
ＲＯＳ１における前記Ａ１５Ｇ修飾が、前記個人が、進行性ＤＬＢＣＬを発症したか、または発症する可能性があることをさらに示す、請求項１７に記載の使用。
【請求項１９】
ＤＬＢＣＬが、活性化Ｂ細胞ＤＬＢＣＬ（ＡＢＣ−ＤＬＢＣＬ）、胚中心Ｂ細胞様ＤＬＢＣＬ（ＧＢＣ−ＤＬＢＣＬ）、または未分類ＤＬＢＣＬである、請求項１６〜１８のいずれか１項に記載の使用。
【請求項２０】
前記ＤＬＢＣＬが、再発性または難治性ＤＬＢＣＬである、請求項１６〜１９のいずれか１項に記載の使用。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
ＳＥＱ  ＩＤ  ＮＯ：１７、ＳＥＱ  ＩＤ  ＮＯ：７１、またはＳＥＱ  ＩＤ  ＮＯ：１５０と約９５％のアミノ酸配列同一性を有するポリペプチドを含む、組成物。
【請求項２】
前記組成物は、ＳＥＱ  ＩＤ  ＮＯ：２のアミノ酸配列を有するポリペプチドと比較して、低下した抗原性および免疫原性を有する、請求項１に記載の組成物。
【請求項３】
前記フラジェリン関連組成物は、ＳＥＱ  ＩＤ  ＮＯ：２のアミノ酸配列を有するポリペプチドと比較して、改善された薬物動態性を示す、請求項１に記載の組成物。
【請求項４】
前記フラジェリン関連組成物は、ＳＥＱ  ＩＤ  ＮＯ：２のアミノ酸配列を有するポリペプチドと比較して、インビボで滞留の増加を示す、請求項１に記載の組成物。
【請求項５】
前記フラジェリン関連組成物は、ＳＥＱ  ＩＤ  ＮＯ：２のアミノ酸配列を有するポリペプチドと同じレベルまたは類似のレベルでＴＬＲ５シグナル伝達を活性化する、請求項１に記載の組成物。
【請求項６】
Ｎ末端タグをさらに含む、請求項１に記載の組成物。
【請求項７】
Ｃ末端タグをさらに含む、請求項１に記載の組成物。
【請求項８】
ＩＬ−６、ＩＬ−１２、ケラチノサイト化学誘引物質（ＫＣ）、ＩＬ−１０、Ｇ−ＣＳＦ、ＭＣＰ−１、ＴＮＦ−α、ＭＩＧ、およびＭＩＰ−２から選択されるサイトカインの１つまたは複数のＮＦ−κＢが媒介する発現を誘導する、請求項１に記載の組成物。
【請求項９】
ＳＥＱ  ＩＤ  ＮＯ：１７、ＳＥＱ  ＩＤ  ＮＯ：７１、またはＳＥＱ  ＩＤ  ＮＯ：１５０と約９８％のアミノ酸配列同一性を有するポリペプチドを含む、請求項１に記載の組成物。
【請求項１０】
ＳＥＱ  ＩＤ  ＮＯ：１７、ＳＥＱ  ＩＤ  ＮＯ：７１、またはＳＥＱ  ＩＤ  ＮＯ：１５０のアミノ酸配列を有するポリペプチドを含む、請求項１に記載の組成物。
【請求項１１】
請求項１に記載の組成物および医薬的に許容し得る担体を含む医薬組成物。
【請求項１２】
ＳＥＱ  ＩＤ  ＮＯ：１５０のアミノ酸配列を有するポリペプチドおよび医薬的に許容し得る担体を含む医薬組成物。
【請求項１３】
対象においてＴＬＲ５シグナル伝達を刺激することにおいて使用するための医薬組成物であって、前記医薬組成物は、ＳＥＱ  ＩＤ  ＮＯ：１７、ＳＥＱ  ＩＤ  ＮＯ：７１、またはＳＥＱ  ＩＤ  ＮＯ：１５０と約９５％のアミノ酸配列同一性を有するポリペプチドを含む、医薬組成物。
【請求項１４】
前記対象が、放射線誘発性細胞損傷を患う、請求項１３に記載の医薬組成物。
【請求項１５】
前記対象が、致死線量の放射線を受けたことがある、請求項１４に記載の医薬組成物。
【請求項１６】
前記対象が、放射線処置を受けている、請求項１４に記載の医薬組成物。
【請求項１７】
前記対象が、癌の化学療法を受けている、請求項１３に記載の医薬組成物。
【請求項１８】
前記医薬組成物は、ＳＥＱ  ＩＤ  ＮＯ：２のアミノ酸配列を有するポリペプチドと比較して、低下した抗原性および免疫原性を有する、請求項１３に記載の医薬組成物。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
エドキサバンまたはその薬学的に許容可能な塩、ポビドンおよびコポビドンから成る群から選択される水溶性ビニルピロリドンポリマー、ならびにセルロースエーテルを含み、糖アルコールを含まない医薬組成物。
【請求項２】
前記エドキサバンの薬学的に許容可能な塩が、エドキサバントシレート一水和物である、請求項１に記載の医薬組成物。
【請求項３】
前記水溶性ビニルピロリドンポリマーが、ポビドンである、請求項１〜２のいずれか一項に記載の医薬組成物。
【請求項４】
前記水溶性ビニルピロリドンポリマーが、コポビドンである、請求項１〜２のいずれか一項に記載の医薬組成物。
【請求項５】
前記セルロースエーテルが、ヒドロキシプロピルメチルセルロース、ヒドロキシプロピルセルロース、エチルセルロース、ヒドロキシエチルセルロース、カルボキシメチルセルロースおよびメチルセルロースから成る群から選択される、請求項１〜４のいずれか一項に記載の医薬組成物。
【請求項６】
前記セルロースエーテルがヒドロキシプロピルメチルセルロースである、請求項１〜５のいずれか一項に記載の医薬組成物。
【請求項７】
賦形剤、崩壊剤および潤滑剤から成る群から選択される一つ以上の活性成分をさらに含む、請求項１〜６のいずれか一項に記載の医薬組成物。
【請求項８】
請求項１〜７のいずれか一項に記載の医薬組成物を含む剤形。
【請求項９】
錠剤である請求項８に記載の剤形。
【請求項１０】
素錠である請求項８〜９のいずれか一項に記載の剤形。
【請求項１１】
エドキサバンまたはその薬学的に許容可能な塩、ポビドンおよびコポビドンから成る群から選択される水溶性ビニルピロリドンポリマー、ならびにセルロースエーテルを含み、糖アルコールを含まない請求項１〜７のいずれか一項に記載の医薬組成物の調製方法。
【請求項１２】
湿式造粒が使用される、請求項１１に記載の方法。
【請求項１３】
薬として使用するための請求項１〜７のいずれか一項に記載の医薬組成物または請求項８〜１０のいずれか一項に記載の剤形。
【請求項１４】
血栓症または塞栓症の予防および／または治療に使用する、請求項１〜７のいずれか一項に記載の医薬組成物または請求項８〜１０のいずれか一項に記載の剤形。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
式（ＩＶ）の化合物：
2017523141.tif 000001
式中、
Ｌ１及びＬ２は、独立してリンカーであり；
Ｒ１は、それぞれ任意選択的に置換されていてもよい、芳香族部位、アルキル、アシル、シクリル、またはヘテロシクリルであり；
Ｒ２は、それぞれ任意選択的に置換されていてもよい、水素、低級アルキル、シクリル、ヘテロシクリル、アリール、またはヘテロアリールであり；
Ｒ３は、存在しないか、または任意選択的に置換されていてもよい芳香族部位であり；
ｐは、０、１、２、３、４、５、６、７、８、９、または１０であり；
−Ｌ１Ｒ１はチアジアゾリジン環の1つの窒素と結合しており、−（ＣＨ２）ｐ−Ｒ３−Ｌ２−Ｃ（Ｏ）ＮＨＯＲ２はチアジアゾリジン環の他方の窒素と結合している。
【請求項２】
式（ＶＩ）の構造を有する、請求項１に記載の化合物：
2017523141.tif 000002
。
【請求項３】
式（Ｉ）の構造を有する、請求項２に記載の化合物：
2017523141.tif 000003
式中、
Ｘはリンカー基であり、
Ｙは、存在しないかまたは芳香族の置換基である。
【請求項４】
式（Ｉ−１）の構造を有する、請求項３に記載の化合物：
2017523141.tif 000004
式中、ｎは１〜１２の整数である。
【請求項５】
以下：
2017523141.tif 000005
2017523141.tif 000006
である、請求項４に記載の化合物。
【請求項６】
式（ＶＩＩ）の構造を有する、請求項２に記載の化合物：
2017523141.tif 000007
。
【請求項７】
式（ＩＩ）の構造を有する、請求項６に記載の化合物：
2017523141.tif 000008
式中、Ｘはリンカー基であり、Ｒは−Ｌ１Ｒ１である。
【請求項８】
式（ＩＩ−１）の構造を有する、請求項７に記載の化合物：
2017523141.tif 000009
。
【請求項９】
式（Ｖ）の化合物：
2017523141.tif 000010
式中、
Ｌ１及びＬ２は、独立してリンカーであり、Ｌ１は、結合ではなく；
Ｒ１は、任意選択的に置換されていてもよい、芳香族部位であり；
Ｒ２は、それぞれ任意選択的に置換されていてもよい、低級アルキル、シクリル、ヘテロシクリル、アリール、もしくはヘテロアリールであるか、または水素であり；
Ｒ３は、任意選択的に置換されていてもよい芳香族環系であり、該芳香族環系中の環原子は炭素原子のみであり；
ｐは、０、１、２、３、４、５、６、７、８、９、または１０である。
【請求項１０】
式（ＩＩＩ）の構造を有する、請求項９に記載の化合物：
2017523141.tif 000011
式中、
Ｘはリンカー基であり、
Ｙは、アルキル、ＣＦ３、ＮＯ２、ＣＯ２Ｈ、ＳＯ２Ｈ、シアノ、ヒドロキシル、チオール、アルキルチオ、アルコキシ、アシル、ハロゲン、アミノ、アルキルアミノ、およびジアルキルアミノからなる群より選択される。
【請求項１１】
式（ＩＩＩ−１）の構造を有する、請求項１０に記載の化合物：
2017523141.tif 000012
。
【請求項１２】
式（ＩＩＩｂ）の構造を有する、請求項９に記載の化合物：
2017523141.tif 000013
式中、
Ｘはリンカー基であり、
Ｙは、アルキル、ＣＦ３、ＮＯ２、ＣＯ２Ｈ、ＳＯ２Ｈ、シアノ、ヒドロキシル、チオール、アルキルチオ、アルコキシ、アシル、ハロゲン、アミノ、アルキルアミノ、およびジアルキルアミノからなる群より選択される。
【請求項１３】
式（ＩＩＩｂ−１）の構造を有する、請求項１２に記載の化合物：
2017523141.tif 000014
。
【請求項１４】
ＨＤＡＣとＧＳＫ３βの二重阻害剤を含有する組成物であって、該二重阻害剤が、請求項１または９に記載の化合物である、組成物。
【請求項１５】
薬学的に許容可能な担体または賦形剤を更に含有する、請求項１４に記載の組成物。
【請求項１６】
抗がん治療剤を更に含有する、請求項１４に記載の組成物。
【請求項１７】
前記抗がん治療剤が化学療法剤である、請求項１６に記載の組成物。
【請求項１８】
請求項１または９に記載の化合物を含む、症状を治療するための、症状を予防するための、発症の可能性を低減するための、症状の重症度を低減するための、及び／または症状の進行を鈍化するための薬学的組成物であって、該症状ががんまたは腫瘍である、薬学的組成物。
【請求項１９】
請求項１または９に記載の化合物；及び
症状を治療するために、症状を予防するために、発症の可能性を低減させるために、症状の重症度を低減するために、及び／または症状の進行を鈍化させるために、前記化合物を使用するための指示書
を含む、症状を治療するための、症状を予防するための、発症の可能性を低減させるための、症状の重症度を低減するための、及び／または症状の進行を鈍化させるための、キットであって、該症状ががんまたは腫瘍であるキット。
【請求項２０】
前記症状が膵がんである、請求項１８に記載の薬学的組成物または請求項１９に記載のキット。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
８００℃で３時間後に摩耗性である、少なくとも１つのコーティングの層を有するロールであって、前記コーティングは、
ａ）８３〜９８重量％のＳｉ３Ｎ４、ＳｉＣ又はＳｉＡｌＯＮの粒子若しくはこれらの混合物からなる凝集体、
ｂ）１００ｎｍを超えかつ１０００ｎｍより小さい平均粒径を有する、２〜１７重量％のＡｌ２Ｏ３、ＳｉＯ２、ＺｒＯ２、ＣｅＯ２、Ｙ２Ｏ３のサブミクロン粒子又はこれらの混合物、を含む、ロール。
【請求項２】
前記凝集体はＡｌ２ＴｉＯ５の粒子を更に含む、請求項１に記載のロール。
【請求項３】
前記粒子の凝集体の比表面積（ＢＥＴ）は、８ｍ２／ｇ以下であり、好ましくは０．５〜５ｍ２／ｇである、請求項１又は２に記載のロール。
【請求項４】
前記粒子の凝集体は、異なる比表面積を有する粒子を含む、請求項１〜３のいずれか一項に記載のロール。
【請求項５】
前記コーティングは、請求項１に記載される複数の層から作製される、請求項１〜４のいずれか一項に記載のロール。
【請求項６】
前記コーティングの平均厚さは少なくとも１５０μｍである、請求項１〜５のいずれか一項に記載のロール。
【請求項７】
前記ロールは、溶融シリカ、ムライト、シリマナイト、アルミナ、ＳｉＣマトリクス又は耐火鋼などの金属から作製される、請求項１〜６のいずれか一項に記載のロール。
【請求項８】
前記コーティングは、アクリルポリマー、エポキシポリマー又はポリビニルアルコールなどの一時的なバインダーを含む、請求項１〜７のいずれか一項に記載のロール。
【請求項９】
ａ）溶融シリカ、ムライト、シリマナイト、アルミナ、ＳｉＣマトリクス又はコア及び表面を有する耐火鋼などの金属から作製されるロールを提供する工程、
ｂ）前記ロールの表面の少なくとも一部分に、
５０〜７５重量％のＳｉ３Ｎ４、ＳｉＣ又はＳｉＡｌＯＮの粒子若しくはこれらの混合物を含む凝集体と、
１．５〜１０重量％、好ましくは１．５〜５重量％のＡｌ２Ｏ３又はＳｉＯ２、ＺｒＯ２、ＣｅＯ２、Ｙ２Ｏ３のサブミクロン粒子又はこれらの混合物と、
１５〜４８．５重量％のＨ２Ｏ、を含み、
前記Ｓｉ３Ｎ４、ＳｉＣ又はＳｉＡｌＯＮの粒子は、８ｍ２／ｇ以下、好ましくは０．５〜５ｍ２／ｇの比表面積（ＢＥＴ）を有する組成物を塗布する工程、
ｃ）前記ロールを乾燥する工程、を含む、請求項１〜８のいずれか一項に記載のロールを製造する、プロセス。
【請求項１０】
前記組成物は、噴霧、浸漬、水浸又はプラズマ噴霧することによってコーティングされる、請求項９に記載のプロセス。
【請求項１１】
少なくとも８００℃の温度で少なくとも３時間、前記ロールを加熱する工程を更に含む、請求項９に記載のプロセス。
【請求項１２】
アルミニウムで処理された鋼シートを移送するための、請求項１〜８のいずれか一項に記載のロールの使用。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
ダイヤモンド単位格子のコンビナトリアル合成法であって、
当該方法は、テトラヘドラノイダル分子を炭素原子と反応させることを含み、
前記テトラヘドラノイダル分子は、ベンズバレン、３，４−ジアザベンズバレン、または２，３，４−メチニルシクロブタノンを含む、コンビナトリアル合成法。
【請求項２】
前記炭素原子が、アルカン、シクロアルカン、及び、キュバンからなる群から選択される炭化水素源から得られるものである、請求項１に記載のコンビナトリアル合成法。
【請求項３】
ラジカル不純物による影響を受けていない炭素を生成すべく前記炭化水素源を高エネルギー放電に曝すことで、前記炭素が得られる、請求項２に記載のコンビナトリアル合成法。
【請求項４】
複数のダイヤモンド単位格子を集合させることで、ダイヤモンド塊が形成される、請求項１に記載のコンビナトリアル合成法。
【請求項５】
気相で実施される、請求項１に記載のコンビナトリアル合成法。
【請求項６】
前記炭化水素源はキュバンである、請求項５に記載のコンビナトリアル合成法。
【請求項７】
前記炭素原子の全てがダイヤモンド単位格子の生成反応によって消費されるのを確実ならしめるために、ラジカル不純物による影響を受けていない炭素に対して化学量論的に過剰量のテトラヘドラノイダル分子が用いられる、請求項５に記載のコンビナトリアル合成法。
【請求項８】
不活性キャリアガス中でラジカル不純物による影響を受けていない炭素原子の第１の流れを形成すること、
不活性キャリアガス中でテトラヘドラノイダル分子の第２の流れを形成すること、並びに、
蒸着基材に隣接した前記不活性キャリアガス中で、前記第１および第２の流れの反応種を組み合わせて、気相から前記蒸着基材上に蒸着するダイヤモンド単位格子を生成し、ダイヤモンド塊を形成すること、
を含んでなる、請求項１に記載のコンビナトリアル合成法。
【請求項９】
前記テトラヘドラノイダル分子は、ベンズバレン、または２，３，４−メチニルシクロブタノンである、請求項８に記載のコンビナトリアル合成法。
【請求項１０】
不活性キャリアガス中でラジカル不純物による影響を受けていない炭素原子の第１の流れは、
アルカン、シクロアルカン、及びキュバンからなる群より選択される炭化水素源から形成されるものであると共に、
前記不活性ガスの流れの中に前記炭化水素源を揮発させることで混合物を形成すること、及び、そうして得られた混合物を、当該蒸気混合物が高エネルギー放電に曝されるところの高エネルギー放出セルに通して、不活性キャリアガス中でラジカル不純物による影響を受けていない炭素原子の前記流れを生成すること、により形成される、請求項８に記載のコンビナトリアル合成法。
【請求項１１】
分光学的に検出される黒鉛の不純物が存在しないダイヤモンド塊が得られる、請求項１に記載のコンビナトリアル合成法。
【請求項１２】
ダイヤモンド単位格子のコンビナトリアル合成法であって、
当該方法は、固相状態でテトラヘドラノイダル分子を炭素原子と反応させることを含む、コンビナトリアル合成法。
【請求項１３】
モル比が約８：１であるテトラヘドラノイダル分子とキュバンの均質な混合物が、高エネルギー放電セル内に置かれると共に、ダイヤモンド単位格子の生成反応が完成するのを確実ならしめるに十分な時間、高エネルギー放電に曝される、ことを特徴とする請求項１２に記載のコンビナトリアル合成法。
【請求項１４】
前記モル比が８：１である、請求項１３に記載のコンビナトリアル合成法。
【請求項１５】
前記テトラヘドラノイダル分子が、ベンズバレン、３，４−ジアザベンズバレン、及び、２，３，４−メチニルシクロブタノンからなる群から選択されるものである、請求項１３に記載のコンビナトリアル合成法。
【請求項１６】
前記高エネルギー放電はマイクロ波である、請求項１３に記載のコンビナトリアル合成法。
【請求項１７】
分光学的に検出される黒鉛の不純物が存在しないダイヤモンド塊が得られる、請求項１２に記載のコンビナトリアル合成法。
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
板の強化方法において、
ある材料を含む板を冷却するステップであって、前記板が第１および第２の板表面を有し、前記材料が転移温度を有し、前記冷却開始時に前記板が前記転移温度よりも高い温度にあるステップを含み、前記冷却するステップは、
ａ．前記第１の板表面を、第１のヒートシンク表面に隣接して配置するステップであって、前記第１の板表面から前記第１のヒートシンク表面への熱伝導が起こるように、前記第１の板表面と前記第１のヒートシンク表面との間に第１の間隙を有し、前記第１の間隙が、前記第１の間隙の長さｇ１および前記第１の間隙の面積Ａｇ１を有するステップと、
ｂ．前記第２の板表面を、第２のヒートシンク表面に隣接して配置するステップであって、前記第２の板表面から前記第２のヒートシンク表面への熱伝導が起こるように、前記第２の板表面と前記第２のヒートシンク表面との間に第２の間隙を有し、前記第２の間隙が、前記第２の間隙の長さｇ２および前記第２の間隙の面積Ａｇ２を有するステップと、
ｃ．第１の気体の第１の流れを前記第１の間隙に供給し、第２の気体の第２の流れを前記第２の間隙に供給するステップであって、前記第１の気体が熱容量Ｃｐ１および熱伝導率ｋ１を有し、前記第２の気体が熱容量Ｃｐ２および熱伝導率ｋ２を有し、前記第１の気体の前記流れが質量流量
2017523114.tif 000001
（式中、
2017523114.tif 000002
は、０を超え（２ｋ１Ａｇ１）／（ｇ１Ｃｐ１）未満である）
で前記第１の間隙に供給され、前記第２の気体の前記流れが質量流量
2017523114.tif 000003
（式中、
2017523114.tif 000004
は、０を超え、（２ｋ２Ａｇ２）／（ｇ２Ｃｐ２）未満である）
で前記第２の間隙に供給され、それによって、前記第１および第２の流れは前記板に接触し、前記板が、対流よりも伝導によって冷却されるステップと
で行われ、
ｄ．前記板の表面圧縮応力および中央張力を発生させるのに十分となるように行われる、
ことを特徴とする方法。
【請求項２】
前記第１のヒートシンク表面が複数の第１の開口部を有し、前記第２のヒートシンク表面が複数の第２の開口部を有し、第１の気体の第１の流れを前記第１の間隙に供給するステップが、前記複数の第１の開口部のみを介して前記第１の気体を前記第１の間隙に流すステップを含み、第２の気体の第２の流れを前記第２の間隙に供給するステップが、前記複数の第２の開口部のみを介して前記第２の気体を前記第２の間隙に流すステップからなることを特徴とする請求項１に記載の方法。
【請求項３】
ラマンシフトによって測定して、前記板のガラス転移温度に対して少なくとも５０℃の前記板の前記第１の表面の表面仮想温度を付与するステップをさらに含むことを特徴とする請求項１に記載の方法。
【請求項４】
板の強化方法において、
ａ．板の少なくとも一部をその第１の表面上で、少なくとも部分的には、前記第１の表面と第１のヒートシンクとの間の間隙に供給される気体の流れまたは圧力によって支持するステップであって、前記板が転移温度を有するガラスを含み、前記板が前記ガラスの前記転移温度よりも高い温度にあるステップと、
ｂ．前記気体を介した前記板の前記第１の表面からヒートシンクへの対流よりも熱伝導によって前記板を冷却するステップと
を含むことを特徴とする方法。
【請求項５】
第１のヒートシンク表面を有する第１のヒートシンクと、
第２のヒートシンク表面を有し、前記第１のヒートシンクとは反対側に配置される第２のヒートシンクと、
前記第１のヒートシンク表面と前記第２のヒートシンク表面との間の間隙と
を含む装置において、
前記間隙は、気体からなり、加熱されたガラス板を収容し、前記加熱されたガラス板を対流よりも伝導によって冷却することで、熱強化板が得られるように構成されることを特徴とする装置。
【請求項６】
前記第１のヒートシンクおよび前記第２のヒートシンクが、前記間隙および気体源と流体連通した複数の開口部を含み、前記気体が前記気体源から前記間隙まで流れることを特徴とする請求項５に記載の装置。
【請求項７】
前記複数の開口部が１ｍｍ未満の最小断面寸法を含み、前記複数の開口部が、前記それぞれの第１および第２のヒートシンク表面に対して垂直から２０度以下の角度で配置されることを特徴とする請求項６に記載の装置。
【請求項８】
熱強化ガラス板において、
前記ガラス板が、ミリメートルの単位で表される厚さｔ、ミリメートルの単位で表される長さｌ、およびミリメートルの単位で表される幅ｗを有し、ｔはｌより小さくかつｗより小さく、
前記ガラス板が、前記厚さｔにおいて分離された第１の主面および第２の主面を有し、前記板の前記第１の主面が、前記第１の主面の任意の５０ｍｍ以下のプロファイルに沿って１００μｍの振れの最大差（ＴＩＲ）まで平坦であり、
前記ガラス板が、１／℃の単位で表される低温線形ＣＴＥであるαＳＣＴＥ、１／℃の単位で表される高温線形ＣＴＥであるαＬＣＴＥ、ＧＰａの単位で表される弾性率Ｅ、℃の単位で表される歪み温度Ｔｓｔｒａｉｎ、および℃の単位で表される軟化温度Ｔｓｏｆｔを有するガラスを含み、
前記ガラス板の前記第１の主面が、６００ＭＰａ未満であり、ＭＰａの単位で
【数１】
2017523114.tif 000005
を超える熱的に誘発される表面圧縮応力を有し、
式中、Ｐ１は
【数２】
2017523114.tif 000006
であり、
Ｐ２は
【数３】
2017523114.tif 000007
であり、
ｈは０．０２０ｃａｌ／ｓ・ｃｍ２・℃（８３７．４Ｗ／ｍ２Ｋ）以上であることを特徴とする熱強化ガラス板。
【請求項９】
前記第１の主面が１０×１０μの領域にわたって０．２〜０．７ｎｍＲａの範囲内の粗さを有することを特徴とする請求項８に記載のガラス板。
【請求項１０】
熱強化ガラス板において、
前記ガラス板が、ミリメートルの単位で表される厚さｔ、ミリメートルの単位で表される長さｌ、およびミリメートルの単位で表される幅ｗを有し、ｔはｌより小さくかつｗより小さく、
前記ガラス板が、前記厚さｔにおいて分離された第１の主面および第２の主面を有し、前記板の前記第１の主面が、前記第１の主面の任意の５０ｍｍ以下のプロファイルに沿って１００μｍの振れの最大差（ＴＩＲ）まで平坦であり、
前記ガラス板が、℃の単位で表される軟化温度Ｔｓｏｆｔおよび℃の単位で表されるアニール温度Ｔａｎｎｅａｌ、前記ガラス板の前記第１の主面上で測定され℃の単位で表される場合Ｔｆｓで表される表面仮想温度を有するガラスを含み、
前記ガラス板が、（Ｔｆｓ−Ｔａｎｎｅａｌ）／（Ｔｓｏｆｔ−Ｔａｎｎｅａｌ）で表される無次元表面仮想温度パラメータθｓを有し、
前記パラメータθｓが０．２０〜０．９の範囲内であることを特徴とする熱強化ガラス板。
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
高血圧症または線維症の処置を必要とする対象においてそれを処置するための薬学的組成物であって、GDF-15；TGFβ1；および／またはTGFβ3の阻害剤を含む、組成物。
【請求項２】
高血圧症が肺動脈性肺高血圧症 (PAH) である、請求項1記載の薬学的組成物。
【請求項３】
前記対象が、肺動脈性肺高血圧症 (PAH) を有するか、または有すると診断された対象である、請求項1〜2のいずれか一項記載の薬学的組成物。
【請求項４】
線維症が、
肺気腫；COPD；間質性肺疾患および肺線維症；特発性肺線維症；強皮症肺疾患；間質性血管疾患または肺血管疾患；ブレオマイシン誘発性肺損傷；化学療法薬（メトトレキサート、シクロホスファミド）または他の毒素への曝露に起因する肺線維症；未熟児と関連した慢性肺疾患、別名気管支肺異形成症；抗不整脈薬（例えば、アミオダロン）への曝露と関連した肺線維症または間質性肺疾患；ならびにアスベスト、シリカ、または粒子への曝露と関連した間質性肺疾患
からなる群より選択される疾患または状態と関連した線維症である、請求項1記載の薬学的組成物。
【請求項５】
前記対象が、
肺気腫；COPD；間質性肺疾患および肺線維症；特発性肺線維症；強皮症肺疾患；間質性血管疾患または肺血管疾患；ブレオマイシン誘発性肺損傷；化学療法薬（メトトレキサート、シクロホスファミド）または他の毒素への曝露に起因する肺線維症；未熟児と関連した慢性肺疾患、別名気管支肺異形成症；抗不整脈薬（例えば、アミオダロン）への曝露と関連した肺線維症または間質性肺疾患；ならびにアスベスト、シリカ、または粒子への曝露と関連した間質性肺疾患
からなる群より選択される疾患または状態を有するか、または有すると診断された対象である、請求項1または3記載の薬学的組成物。
【請求項６】
阻害剤がTGFβ1を阻害する、請求項1〜5のいずれか一項記載の薬学的組成物。
【請求項７】
阻害剤がTGFβ3を阻害する、請求項1〜5のいずれか一項記載の薬学的組成物。
【請求項８】
阻害剤がTGFβ1およびTGFβ3を阻害する、請求項1〜7のいずれか一項記載の薬学的組成物。
【請求項９】
阻害剤がGDF15を阻害する、請求項1〜8のいずれか一項記載の薬学的組成物。
【請求項１０】
阻害剤がTGFβ1および／またはTGFβ3をさらに阻害する、請求項9記載の薬学的組成物。
【請求項１１】
阻害剤がGDF15に特異的である、請求項1〜5のいずれか一項記載の薬学的組成物。
【請求項１２】
阻害剤がTGFβ1に特異的である、請求項1〜5のいずれか一項記載の薬学的組成物。
【請求項１３】
阻害剤がTGFβ3に特異的である、請求項1〜5のいずれか一項記載の薬学的組成物。
【請求項１４】
阻害剤が抗体試薬またはリガンドトラップである、請求項1〜13のいずれか一項記載の薬学的組成物。
【請求項１５】
リガンドトラップがTGFβ-1/3 GDF-15リガンドトラップである、請求項14記載の薬学的組成物。
【請求項１６】
リガンドトラップがTGFBRII-Fcである、請求項15記載の薬学的組成物。
【請求項１７】
前記対象が、強皮症、またはPAHに付随する結合組織病 (APAH-CTD) を有する、請求項1〜16のいずれか一項記載の薬学的組成物。
【請求項１８】
前記対象が、対照と比べてGDF-15、TGFβ1、および／またはTGFβ3のレベルが上昇していると判定されている、請求項1〜17のいずれか一項記載の薬学的組成物。
【請求項１９】
前記対象が、PAHを有するが強皮症またはAPAH-CTDの症状を示していない対象におけるGDF-15、TGFβ1、および／またはTGFβ3の平均レベルと比べて、GDF-15、TGFβ1、および／またはTGFβ3のレベルが上昇していると判定されている、請求項18記載の薬学的組成物。
【手続補正書】
【提出日】平成30年6月25日(2018.6.25)
【手続補正１】
【補正対象書類名】明細書
【補正対象項目名】００５５
【補正方法】変更
【補正の内容】
【００５５】
４．１．９，９’−ジヘキシル−２，７−ジヨード−９Ｈ−フルオレンの合成
４．１．１．２，７−ジヨード−９Ｈ−フルオレンの合成
フルオレン（４ｇ、２４ｍｍｏｌ、１ｅｑ）を、酢酸（６０ｍＬ）、水（１３ｍＬ）および硫酸（２ｍＬ）を含む混合物中の９５℃の溶液に入れる。温度を８０℃まで下げた後、次に二ヨウ素（４．２ｇ、１６．６ｍｍｏｌ、０．７ｅｑ）および過ヨウ素酸（１．８５ｇ、８ｍｍｏｌ、０．３３ｅｑ）を反応混合物に加え、次にこの混合物を撹拌下で約１時間放置する。ＴＬＣを行って反応の進行を監視した。生成した沈殿物を濾過により回収し、次にＮａＨＣＯ３および水の飽和溶液で洗った。得られた未精製の固体をｎ−ヘキサン中で再結晶させた。
白色固体の形態で生成物が得られる。
収率：５０％
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
プロゲステロン、
中鎖油を含む可溶化剤、および
浸透促進剤
を含む経皮医薬組成物であって、
局所投与用クリームとして製剤化されている、経皮医薬組成物。
【請求項２】
前記浸透促進剤が、プロピレングリコールモノラウレート、ジエチレングリコールモノエチルエーテル、およびプロピレングリコールを含む、請求項１に記載の経皮医薬組成物。
【請求項３】
前記浸透促進剤が、ｄ−リモネンをさらに含む、請求項１に記載の経皮医薬組成物。
【請求項４】
請求項１に記載の経皮医薬組成物であって、
プロゲステロン、
中鎖油、
プロピレングリコールモノラウレート、
ジエチレングリコールモノエチルエーテル、および
プロピレングリコール
を含み、
局所投与用クリームとして製剤化されている、経皮医薬組成物。
【請求項５】
約１．５％（ｗ／ｗ）〜約３．５％（ｗ／ｗ）の量のプロゲステロンを含む、請求項４に記載の経皮医薬組成物。
【請求項６】
約２％（ｗ／ｗ）〜約３％（ｗ／ｗ）の量のプロゲステロンを含む、請求項５に記載の経皮医薬組成物。
【請求項７】
前記中鎖油が中鎖トリグリセリドを含み、該中鎖トリグリセリドが、カプリル酸トリグリセリドおよびカプリン酸トリグリセリドを実質的に含む、請求項１に記載の経皮医薬組成物。
【請求項８】
約１．５％（ｗ／ｗ）〜約３．５％（ｗ／ｗ）の量のプロゲステロン；および
約１０％（ｗ／ｗ）〜約３０％（ｗ／ｗ）の量の中鎖油
を含む、請求項４に記載の経皮医薬組成物。
【請求項９】
約２％（ｗ／ｗ）〜約３％（ｗ／ｗ）の量のプロゲステロン；および
約１５％（ｗ／ｗ）〜約２５％（ｗ／ｗ）の量の中鎖油
を含む、請求項８に記載の経皮医薬組成物。
【請求項１０】
約２．５％（ｗ／ｗ）の量のプロゲステロン；および
約１５％（ｗ／ｗ）の量の中鎖油
を含む、請求項８に記載の経皮医薬組成物。
【請求項１１】
エストラジオールをさらに含む、請求項４に記載の経皮医薬組成物。
【請求項１２】
約０．００１％（ｗ／ｗ）〜約０．５％（ｗ／ｗ）の量のエストラジオールを含む、請求項１１に記載の経皮医薬組成物。
【請求項１３】
約０．００５％（ｗ／ｗ）の量のエストラジオールを含む、請求項１２に記載の経皮医薬組成物。
【請求項１４】
約０．０５％（ｗ／ｗ）の量のエストラジオールを含む、請求項１２に記載の経皮医薬組成物。
【請求項１５】
約２．５％（ｗ／ｗ）の量のプロゲステロン；
約１５％（ｗ／ｗ）の量の中鎖油であって、該中鎖油が中鎖トリグリセリドを含み、該中鎖トリグリセリドがカプリル酸トリグリセリドおよびカプリン酸トリグリセリドを実質的に含む、中鎖油；
約３％（ｗ／ｗ）の量のジエチレングリコールモノエチルエーテル；
約５％（ｗ／ｗ）の量のプロピレングリコールモノラウレート；
約７％（ｗ／ｗ）の量のステアレート混合物であって、グリセロールモノステアレートおよびＰＥＧ−７５ステアレートを含む、ステアレート混合物；
約３．５％（ｗ／ｗ）の量のセチルアルコール混合物であって、セチルアルコール、セテス−２０、およびステアレス−２０を含む、セチルアルコール混合物；
約０．２％（ｗ／ｗ）の量のカルボマー；
約３％（ｗ／ｗ）の量のレシチン；
約４％（ｗ／ｗ）の量のプロピレングリコール；
約０．２％（ｗ／ｗ）の量のメチルパラベン；
約０．０２％（ｗ／ｗ）の量のプロピルパラベン；
約０．５％（ｗ／ｗ）の量のクエン酸；
約０．８％（ｗ／ｗ）の量のリン酸ナトリウム；ならびに
精製水
を含む、請求項４に記載の経皮医薬製剤。
【請求項１６】
約０．００５％（ｗ／ｗ）の量のエストラジオールをさらに含む、請求項１５に記載の経皮医薬製剤。
【請求項１７】
約０．０５％（ｗ／ｗ）の量のエストラジオールを含む、請求項１５に記載の経皮医薬組成物。
【請求項１８】
約２．５％（ｗ／ｗ）の量のプロゲステロン；
約１５％（ｗ／ｗ）の量の中鎖油であって、該中鎖油が中鎖トリグリセリドを含み、該中鎖トリグリセリドがカプリル酸トリグリセリドおよびカプリン酸トリグリセリドを実質的に含む、中鎖油；
約３％（ｗ／ｗ）の量のジエチレングリコールモノエチルエーテル；
約５％（ｗ／ｗ）の量のプロピレングリコールモノラウレート；
約０．１％（ｗ／ｗ）の量のブチル化ヒドロキシトルエン；
約７％（ｗ／ｗ）の量のステアレート混合物であって、グリセロールモノステアレートおよびＰＥＧ−７５ステアレートを含む、ステアレート混合物；
約３．５％（ｗ／ｗ）の量のセチルアルコール混合物であって、セチルアルコール、セテス−２０、およびステアレス−２０を含む、セチルアルコール混合物；
約０．２％（ｗ／ｗ）の量のカルボマー；
約３％（ｗ／ｗ）の量のレシチン；
約４％（ｗ／ｗ）の量のプロピレングリコール；
約０．２％（ｗ／ｗ）の量のメチルパラベン；
約０．０２％（ｗ／ｗ）の量のプロピルパラベン；
約０．５％（ｗ／ｗ）の量のクエン酸；
約０．８％（ｗ／ｗ）の量のリン酸ナトリウム；ならびに
精製水
を含む、請求項４に記載の経皮医薬製剤。
【請求項１９】
約０．００５％（ｗ／ｗ）の量のエストラジオールをさらに含む、請求項１８に記載の経皮医薬製剤。
【請求項２０】
約０．０５％（ｗ／ｗ）の量のエストラジオールをさらに含む、請求項１８に記載の経皮医薬製剤。
【請求項２１】
被験体のホルモン欠乏に関連する状態の治療用の、請求項１〜２０のいずれか一項に記載の経皮医薬製剤。
【請求項２２】
前記状態が、子宮内膜増殖症、子宮内膜症、続発性無月経、早産、低エストロゲン関連症状、及び骨粗鬆症から選択される、請求項２１に記載の経皮医薬製剤。